(57)【要約】【課題】浴槽の湯水の除菌などの処理が無駄に多く実行されることを回避しつつ、ユーザが浴槽の湯水を衛生に優れた状態で利用し得るようにすることが可能な風呂装置を提供する。【解決手段】所定の検出手段Ｓａによって所定の出浴対応現象が検出されたときに、湯水処理動作を開始させる制御を実行可能な制御部７を備えている風呂装置Ａであって、浴槽１への湯張り後において、最初の入浴対応現象又は出浴対応現象が検出手段Ｓａによって検出された時点から所定の第１の時間が経過する迄の期間は、出浴対応現象が検出されたとしても循環ポンプＰ１は駆動されず、湯水処理動作が実行されない湯水処理禁止期間とされる。【選択図】  図１
2018089088.tif 000002
【特許請求の範囲】
【請求項１】
浴槽の湯水を前記浴槽に接続された湯水循環路を介して除菌及び／又は濾過処理用の湯水処理部に導き、かつこの湯水処理部を利用して処理された湯水を前記浴槽に戻す湯水処理動作を可能とする循環ポンプと、
所定の入浴対応現象及び出浴対応現象を検出可能な検出手段と、
この検出手段によって前記出浴対応現象が検出されたときに、前記湯水処理動作を開始させる制御を実行可能な制御部と、
を備えている、風呂装置であって、
前記浴槽への湯張り後において、最初の前記入浴対応現象又は前記出浴対応現象が前記検出手段によって検出された時点から所定の第１の時間が経過する迄の期間は、前記出浴対応現象が検出されたとしても前記循環ポンプは駆動されず、前記湯水処理動作が実行されない湯水処理禁止期間とされることを特徴とする、風呂装置。
【請求項２】
浴槽の湯水を前記浴槽に接続された湯水循環路を介して除菌及び／又は濾過処理用の湯水処理部に導き、かつこの湯水処理部を利用して処理された湯水を前記浴槽に戻す湯水処理動作を可能とする循環ポンプと、
所定の入浴対応現象及び出浴対応現象を検出可能な検出手段と、
この検出手段によって前記出浴対応現象が検出されときに、前記湯水処理動作を開始させる制御を実行可能な制御部と、
を備えている、風呂装置であって、
前記制御部は、前記浴槽への湯張り後における入浴者数を判断可能であり、かつ前記湯張り後から前記入浴者数が所定の人数に達する迄の期間は、前記出浴対応現象が前記検出手段によって検出されたとしても前記循環ポンプは駆動されず、前記湯水処理動作が実行されない湯水処理禁止期間とされることを特徴とする、風呂装置。
【請求項３】
請求項１又は２に記載の風呂装置であって、
前記湯水処理禁止期間が経過した後において、前記出浴対応現象が前記検出手段によって検出された場合には、前記湯水処理動作が開始される一方、そうでない場合には、前記湯水処理動作の開始が保留され、その後に前記出浴対応現象が検出された時点で、前記湯水処理動作が開始されるように構成されている、風呂装置。
【請求項４】
請求項３に記載の風呂装置であって、
前記湯水処理動作の開始が保留された後において、前記出浴対応現象が検出されない状況が所定の第２の時間以上継続した場合には、前記湯水処理動作は実行されることなく、前記入浴対応現象及び前記出浴対応現象の検出動作が終了するように構成されている、風呂装置。
【請求項５】
請求項１ないし４のいずれかに記載の風呂装置であって、
前記湯水処理部は、除菌灯を備え、かつこの除菌灯及び前記循環ポンプがともに駆動オンとされることにより、前記湯水処理動作として、前記浴槽の湯水の除菌処理動作が可能とされている、風呂装置。
【請求項６】
請求項５に記載の風呂装置であって、
前記除菌処理動作中において、前記入浴対応現象が検出されたときには、前記循環ポンプが駆動オフとされて前記除菌処理動作が中断される一方、前記除菌灯については駆動オン状態が維持され、
前記除菌処理動作の中断時において、前記出浴対応現象が検出されたときには、前記循環ポンプが駆動オンとされて、前記除菌処理動作が再開される構成とされている、風呂装置。
【請求項７】
請求項６に記載の風呂装置であって、
前記除菌処理動作の中断時において、前記除菌灯の駆動オン状態が所定の第３の時間以上継続したときには、前記除菌灯は駆動オフとされるように構成されている、風呂装置。
【発明の詳細な説明】
【技術分野】
【０００１】
本発明は、浴槽の湯水の除菌処理及び／又は濾過処理を図ることが可能とされた風呂装置に関する。
【背景技術】
【０００２】
従来の風呂装置の具体例として、特許文献１に記載のものがある。
同文献に記載された風呂装置は、浴槽に接続された湯水循環路、この湯水循環路に設けられた循環ポンプ、除菌処理部、及び浴室内における人の存否を検出するための人感センサを備えている。前記循環ポンプが駆動されると、浴槽の湯水が除菌処理部に送られ、かつこの除菌処理部によって除菌処理が施された湯水が浴槽に戻される。循環ポンプ及び除菌処理部は、浴室から入浴者が退出したことが人感センサを利用して検出されたときに、駆動オンとされる。
このような構成によれば、入浴者が入浴を終えて浴室を退出した直後に、浴槽の湯水の除菌処理を開始させることが可能である。
【０００３】
しかしながら、前記従来技術においては、次に述べるように、改善すべき余地があった。
【０００４】
すなわち、前記従来技術においては、人が入浴後に浴室から退出する都度、除菌処理動作が開始されている。このため、複数人が順次入浴する場合には、入浴した人数と同数だけ除菌処理動作も繰り返し実行される。このような動作制御は、浴槽の湯水の衛生状態を優れたものにする観点からすると好ましいものの、入浴者の数が多い場合には、除菌処理動作回数も多くなり、そのランニングコストが多くなる他、除菌灯の使用寿命が短くなるといった不具合も招く（除菌灯はオン・オフ回数が多いほど、及び累積点灯時間が長いほど、使用寿命が短くなるのが一般的である）。また、たとえば一人目の入浴者が入浴を終えただけでは、浴槽の湯水が多くの雑菌類を含まない綺麗なままである場合も多く、このような場合にも除菌処理を一律に行なうことは、効率が良いとは言い難い。
【先行技術文献】
【特許文献】
【０００５】
【特許文献１】特開平９−５１８５６号公報
【発明の概要】
【発明が解決しようとする課題】
【０００６】
本発明は、前記したような事情のもとで考え出されたものであり、浴槽の湯水の除菌などの処理が無駄に多く実行されることを回避しつつ、ユーザが浴槽の湯水を衛生に優れた状態で利用し得るようにすることが可能な風呂装置を提供することを、その課題としている。
【課題を解決するための手段】
【０００７】
上記の課題を解決するため、本発明では、次の技術的手段を講じている。
【０００８】
本発明の第１の側面により提供される風呂装置は、浴槽の湯水を前記浴槽に接続された湯水循環路を介して除菌及び／又は濾過処理用の湯水処理部に導き、かつこの湯水処理部を利用して処理された湯水を前記浴槽に戻す湯水処理動作を可能とする循環ポンプと、所定の入浴対応現象及び出浴対応現象を検出可能な検出手段と、この検出手段によって前記出浴対応現象が検出されたときに、前記湯水処理動作を開始させる制御を実行可能な制御
部と、を備えている、風呂装置であって、前記浴槽への湯張り後において、最初の前記入浴対応現象又は前記出浴対応現象が前記検出手段によって検出された時点から所定の第１の時間が経過する迄の期間は、前記出浴対応現象が検出されたとしても前記循環ポンプは駆動されず、前記湯水処理動作が実行されない湯水処理禁止期間とされることを特徴としている。
【０００９】
ここで、本発明でいう「入浴対応現象」とは、人が入浴する場合にこれに対応して生じ、かつその現象が検出されたときには浴室に入浴者が存在する可能性が高いと考えられる現象である。たとえば、浴室に設置された人感センサによって人の存在が検出される現象、浴槽への湯水供給がなされていないにも拘わらず浴槽の水位が上昇する現象、あるいは浴室の照明がオンにされる現象などが該当する。
本発明でいう「出浴対応現象」とは、人が出浴する場合にこれに対応して生じ、かつその現象が検出されたときには浴室に入浴者が不在である可能性が高いと考えられる現象である。たとえば、浴室に設置された人感センサによって人が検出された後に、人が非検出となる現象、浴槽への湯水供給が実行されることなく浴槽の水位が上昇した後に、浴槽の水位が元の水位に復帰し、かつその状態が所定時間以上継続する現象、あるいは浴室の照明がオフにされる現象などが該当する。
【００１０】
本発明の前記した構成によれば、次のような効果が得られる。
すなわち、浴槽への湯張り後に一人が入浴（最初の入浴）を終え、出浴したとしても、このことのみを条件として湯水処理動作が開始されることはなく、最初の入浴対応現象又は出浴対応現象が検出された時点から所定の第１の時間が経過する迄の湯水処理禁止期間を過ぎなければ、湯水処理動作は開始されない。この湯水処理禁止期間中に、たとえば二人目、あるいは三人目の人が入浴したとしても、湯水処理動作は開始されないこととなる。このようなことから、前記従来技術とは異なり、入浴者の数と同数だけ湯水処理動作が頻繁に実行されることはなく、湯水処理動作の回数を少なくすることによって、ランニングコストを低減することが可能となる。湯水処理動作として、除菌灯を用いた除菌処理動作を行なわせる場合には、除菌灯の使用寿命を長くする効果も得られることとなる。
また、たとえば一人目の人が入浴を終えたとしても、その後直ちに湯水処理動作が開始されないケースが生じ得るが、一人目の入浴者が入浴を終えただけでは、浴槽の湯水が多くの雑菌類を含まない場合が多いため、浴槽の湯水を衛生的なものとする上で、とくに不具合を生じるようなこともない。
さらに、湯水処理禁止期間（所定の第１の時間）のタイムカウント基準時は、最初の入浴対応現象又は出浴対応現象が検出された時点とされており、入浴によって浴槽の湯水が実際に汚れる虞があることを前提条件として湯水処理禁止期間についてのタイムカウントが開始される。このため、湯水処理動作が開始される時期を実際の入浴状況に適切に対応させることが可能となる。たとえば、本発明とは異なり、第１の時間のカウント開始時期が、浴槽への湯張り時であると、その後誰も入浴していない状況下で湯水処理禁止期間が経過するといった事態を生じる虞があるが、本発明によれば、そのような虞もない。
【００１１】
本発明の第２の側面により提供される風呂装置は、浴槽の湯水を前記浴槽に接続された湯水循環路を介して除菌及び／又は濾過処理用の湯水処理部に導き、かつこの湯水処理部を利用して処理された湯水を前記浴槽に戻す湯水処理動作を可能とする循環ポンプと、所定の入浴対応現象及び出浴対応現象を検出可能な検出手段と、この検出手段によって前記出浴対応現象が検出されたときに、前記湯水処理動作を開始させる制御を実行可能な制御部と、を備えている、風呂装置であって、前記制御部は、前記浴槽への湯張り後における入浴者数を判断可能であり、かつ前記湯張り後から前記入浴者数が所定の人数に達する迄の期間は、前記出浴対応現象が前記検出手段によって検出されたとしても前記循環ポンプは駆動されず、前記湯水処理動作が実行されない湯水処理禁止期間とされることを特徴としている。
【００１２】
このような構成によれば、次のような効果が得られる。
すなわち、本発明の第１の側面により提供される風呂装置と同様に、浴槽への湯張り後に一人が入浴（最初の入浴）を終え、出浴したとしても、このことのみを条件として湯水処理動作が開始されることはない。所定の人数が入浴しない限りは、湯水処理動作は開始されない。したがって、入浴者の数よりも湯水処理動作の回数を少なくし、ランニングコストを低減することが可能となる。除菌灯を用いた除菌処理動作を行なわせる場合には、除菌灯の使用寿命を長くすることもできる。
また、所定の人数が入浴を終える迄は、湯水処理動作が開始されないこととなるが、入浴者数が少ない間は、浴槽の湯水が多くの雑菌類を含まない場合が多いため、浴槽の湯水を衛生的なものとする上で、とくに大きな不具合はない。
さらに、湯水処理禁止期間は、本発明の第１の側面により提供される風呂装置とは異なり、時間で規定されておらず、入浴者の数が所定数に達する迄の期間とされているため、より実情に沿ったタイミングで湯水処理動作を効率よく実行させることができるといった利点も得られる。
【００１３】
本発明において、好ましくは、前記湯水処理禁止期間が経過した後において、前記出浴対応現象が前記検出手段によって検出された場合には、前記湯水処理動作が開始される一方、そうでない場合には、前記湯水処理動作の開始が保留され、その後に前記出浴対応現象が検出された時点で、前記湯水処理動作が開始されるように構成されている。
【００１４】
このような構成によれば、人が入浴していない状況で湯水処理動作を適切に実行することが可能である。前記構成とは異なり、人が入浴している際に、湯水処理動作が実行されるべく循環ポンプが駆動されると、たとえば湯水循環路に設けられている水位センサを利用した浴槽の水位測定が困難になるなどの不具合を生じる虞があるが、前記構成によれば、そのような虞を無くすことも可能である。
【００１５】
本発明において、好ましくは、前記湯水処理動作の開始が保留された後において、前記出浴対応現象が検出されない状況が所定の第２の時間以上継続した場合には、前記湯水処理動作は実行されることなく、前記入浴対応現象及び前記出浴対応現象の検出動作が終了するように構成されている。
【００１６】
このような構成によれば、湯水処理動作の開始が保留された後に、なんらかの事情により出浴に対応する所定現象が検出されない場合に、湯水処理動作の保留状態、及び入浴対応現象や出浴対応現象を検出する動作が、異常に長引いた状態で無駄に実行されることを回避することができる。
【００１７】
本発明において、好ましくは、前記湯水処理部は、除菌灯を備え、かつこの除菌灯及び前記循環ポンプがともに駆動オンとされることにより、前記湯水処理動作として、前記浴槽の湯水の除菌処理動作が可能とされている。
【００１８】
このような構成によれば、簡易な構造の装置構成により浴槽の湯水の除菌処理動作を適切に行なうことが可能である。
【００１９】
本発明において、好ましくは、前記除菌処理動作中において、前記入浴対応現象が検出されたときには、前記循環ポンプが駆動オフとされて前記除菌処理動作が中断される一方、前記除菌灯については駆動オン状態が維持され、前記除菌処理動作の中断時において、前記出浴対応現象が検出されたときには、前記循環ポンプが駆動オンとされて、前記除菌処理動作が再開される構成とされている。
【００２０】
このような構成によれば、除菌処理動作中に入浴がなされるようなことがあった場合には、循環ポンプが駆動オフとされるために、浴槽の水位の検出を伴う風呂自動保温動作などを適切に実行することが可能となる。また、除菌処理動作を中断する際であっても、除菌灯については駆動オン状態が維持されており、除菌処理動作を再開する際には循環ポンプを駆動させるだけでよいため、除菌灯の駆動オン・オフの切り替え頻度を少なくすることができる。したがって、除菌灯の使用寿命を長くする上で、より好ましいものとなる。
【００２１】
本発明において、好ましくは、前記除菌処理動作の中断時において、前記除菌灯の駆動オン状態が所定の第３の時間以上継続したときには、前記除菌灯は駆動オフとされるように構成されている。
【００２２】
このような構成によれば、次のような効果が得られる。
すなわち、除菌処理動作の中断時は、人が入浴している最中である可能性が高く、この際に除菌灯が長時間にわたって連続して駆動オン状態とされると、除菌灯の熱によって湯水循環路の湯水が比較的高温に加熱され、かつこの加熱された湯水が浴槽に供給されることにより入浴者に違和感を与える虞がある。これに対し、前記構成によれば、除菌灯の熱によって湯水循環路の湯水が高温に加熱されることを防止し、前記した虞を解消することが可能である。
【００２３】
本発明のその他の特徴及び利点は、添付図面を参照して以下に行なう発明の実施の形態の説明から、より明らかになるであろう。
【図面の簡単な説明】
【００２４】
【図１】本発明に係る風呂装置の一例を示す説明図である。
【図２】図１に示す風呂装置において実行される動作制御の一例を示すフローチャートである。
【図３】図１に示す風呂装置において実行される動作制御の他の例を示すフローチャートである。
【図４】図１に示す風呂装置において除菌処理動作が実行される場合の動作制御の例を示すフローチャートである。
【発明を実施するための形態】
【００２５】
以下、本発明の好ましい実施の形態について、図面を参照して具体的に説明する。
【００２６】
図１に示す風呂装置Ａは、浴室ＢＲ内に設置された浴槽１、この浴槽１に接続された湯水循環路５、この湯水循環路５を構成する外部配管５ａ，５ｂを介して浴槽１に接続された給湯装置ＷＨ、湯水循環路５の途中に設けられた循環ポンプＰ１、除菌灯４０を利用して構成された除菌処理部４、給湯装置ＷＨの浴室リモコン７０に組み込まれた人感センサＳａ、及び給湯装置ＷＨの動作制御を実行する制御部７を備えている。同図において、符号９０は、給湯装置ＷＨの外装ケースである。
【００２７】
給湯装置ＷＨは、たとえば瞬間式ガス給湯装置であり、浴槽１への自動湯張り機能、風呂追い焚き機能、給湯栓６０などへの一般給湯機能を備えていることに加え、浴槽１の湯水の除菌処理動作も可能である。
【００２８】
具体的には、この給湯装置ＷＨにおいては、入水口２０から入水路２に流入した湯水が熱交換器３０に送られてバーナ３１により加熱される。この加熱された湯水は、流路２２を経て混合弁２３に到達し、バイパス流路２１を流れてくる非加熱の湯水と所定の混合比で混合されることにより温度調整される。給湯栓６０への一般給湯は、混合弁２３を通過した湯水が一般給湯用出湯路６を流れることにより行なわれる。
【００２９】
浴槽１への自動湯張り動作は、風呂給湯用出湯路５０に設けられた開閉弁Ｖ１が開状態とされることにより、混合弁２３を通過した湯水が風呂給湯用出湯路５０から湯水循環路５に流れ込むことにより行なわれる。湯水循環路５は、浴槽１のアダプタ１０に接続された外部配管５ａ，５ｂに、給湯装置ＷＨの内部配管５ｃ，５ｄ、及び風呂追い焚き用の熱交換器３３が接続された構成である。風呂追い焚き動作においては、循環ポンプＰ１が駆動オンとされ、浴槽１の湯水が湯水循環路５を介して熱交換器３３に送り込まれてバーナ３４により加熱されてから浴槽１に戻される。
【００３０】
湯水循環路５には、浴槽１の水位を判断するための水位センサＳｂ（圧力センサ）が設けられている。この水位センサＳｂは、湯水循環路５内の静水圧（浴槽１の湯水の水頭圧に対応）を検出するセンサであり、この検出された圧力値に基づいて、制御部７において浴槽１の水位が判断される。風呂装置Ａにおいては、浴室リモコン７０において、たとえば自動運転スイッチがオンとされると、前記した自動湯張り動作を完了した後に、風呂保温モードに移行する。この風呂保温モードにおいては、浴槽１の湯水温度を所望の設定温度に維持するとともに、その湯量を所定範囲の水位に維持する制御がなされる。したがって、この風呂保温モードでは、必要に応じて浴槽１への注水又は注湯が行なわれるが、その注水量又は注湯量を予め決定する必要があるため、事前に浴槽１の水位が判断される。
【００３１】
除菌処理部４は、湯水循環路５の途中位置に接続され、かつ内部に湯水が流通するように設けられたハウジング４１内に、除菌灯４０が収容された構成である。除菌灯４０は、たとえば紫外線ランプであり、ハウジング４１内を流通する湯水に直接接触しないように紫外線透過性を有する適当なカバー体（不図示）によって覆われて保護されている。
浴槽１の湯水の除菌処理動作は、除菌灯４０及び循環ポンプＰ１の双方を駆動オンとし、浴槽１の湯水を湯水循環路５に流出させて除菌処理部４のハウジング４１内に送り込むことにより湯水の除菌を図り、かつこの除菌を終えた湯水を浴槽１に戻す動作である。
【００３２】
人感センサＳａは、浴室ＢＲ内における人の存否を検出するためのセンサであって、たとえば人体から発せられる熱（赤外線）を検知可能であり、既述したように、浴室リモコン７０に組み込まれ、かつその検出信号を制御部７に送信可能とされている。この人感センサＳａは、本発明でいう「所定の入浴対応現象及び出浴対応現象を検出可能な検出手段」の構成要素の一例に相当する。
【００３３】
本実施形態においては、人感センサＳａによって人の存在が検出される現象が、本発明でいう入浴対応現象に相当し、その後に人の存在が非検出となる現象が、本発明でいう出浴対応現象に相当する。
ただし、検出処理の確実化を図るべく、好ましくは、人感センサＳａによって人の存在が検出された時点で、直ちにその旨を確定させるのではなく、人の存在が検出される状態がたとえば３秒以上など、所定時間以上継続した場合に、人が存在する旨（入浴のための浴室への入室がある旨）を確定させるように構成される。同様に、人感センサＳａによって人の存在が非検出になった時点で、直ちにその旨を確定させるのではなく、人の存在が非検出の状態がたとえば５分など、所定時間以上継続した場合に、人が存在しない旨（入浴者が出浴し、浴室外に退室した旨）を確定させるように構成される。
【００３４】
制御部７は、マイクロコンピュータを用いて構成されており、この制御部７に通信接続された浴室及び台所のリモコン７０，７１のスイッチ操作、ならびに人感センサＳａによる人の存在の検出の有無などに対応し、給湯装置ＷＨの各部の動作制御やデータ処理を実行する。リモコン７０，７１には、複数の操作スイッチ７２が設けられているが、これら複数の操作スイッチ７２のいずれかは、風呂運転モードとして、除菌処理制御モードを設定するための操作スイッチ７２とされている。前記除菌処理制御モードが設定された際に
は、制御部７の制御によって後述するような動作制御が実行される。
【００３５】
次に、前記した風呂装置Ａの作用について説明する。併せて、制御部７による動作制御の例について、図２〜図４のフローチャートを参照しつつ説明する。
【００３６】
前記した除菌処理制御モードの設定時において、浴槽１への湯張りがなされ、かつその後に浴室に人が入ることによって、人感センサＳａによってその人の存在が検出（初回の検出）されると、湯水処理禁止期間が開始され、かつタイマセットがなされる（Ｓ１：ＹＥＳ，Ｓ２：ＹＥＳ，Ｓ３，Ｓ４）。ここで、前記湯水処理禁止期間は、人感センサＳａによる人の存在が非検出になったとしても循環ポンプＰ１の運転を禁止する期間である。また、除菌灯４０も駆動オンにはされない。
【００３７】
次いで、前記タイマセット時から所定の第１の時間が経過してタイムアップになると、前記湯水処理禁止期間は解除される（Ｓ５：ＹＥＳ，Ｓ６）。すると、その時点で人感センサＳａによる人の存在が非検出であれば、その時点で循環ポンプＰ１及び除菌灯４０がともに駆動オンとされて除菌処理動作が実行され、またそうでない場合であっても、その後に入浴者が浴室から退室することによって人感センサＳａによる人の存在が非検出になると、その時点で除菌処理動作が実行される（Ｓ７：ＹＥＳ，Ｓ８）。
なお、前記第１の時間は、たとえば６０分程度であるが、これに限定されない。好ましくは、前記第１の時間は、リモコン７０，７１を操作するなどしてユーザが適宜増減変更可能とされる。この点については、後述する他の時間（第２ないし第４の時間など）も同様である。
【００３８】
このような動作制御によれば、浴槽１への湯張り後に一人が入浴を終え、出浴したとしても、このことのみを条件として除菌処理動作が開始されることはなく、湯水処理禁止期間を過ぎなければ、除菌処理動作は開始されない。たとえば、二人目が入浴し、かつ出浴したとしても、その時期が湯水処理禁止期間中であれば、除菌処理動作は開始されないこととなる。したがって、入浴者の数と同数だけ除菌処理動作が頻繁に実行されることはなく、循環ポンプＰ１の運転回数や除菌灯４０の点灯回数や点灯時間を少なくすることによってランニングコストを低減することが可能となる。また、除菌灯４０の使用寿命を長くする効果も得られる。
【００３９】
前記した動作制御によれば、たとえば一人目の入浴が終了し、その出浴があったとしても、除菌処理動作が開始されない場合があるが、一人の入浴のみであれば、浴槽１の湯水はさほど汚れず、雑菌類も少ない場合が殆どであると考えられる。したがって、浴槽１の湯水がとくに不衛生になることもない。また、前記した湯水処理禁止期間（所定の第１の時間）をタイムカウントするためのタイマセットは、入浴のための入室が検出された時期とされているため、たとえば誰も入浴していない状況下で湯水処理禁止期間が終了するといった事態を生じないようにすることも可能である。
【００４０】
前記とは異なり、ステップＳ７において、人の存在が検出されず、その状態が所定の第２の時間以上継続した場合には、制御部７は人感センサＳａを利用した人の存在の有無の検出動作を終了し、かつ除菌処理動作を開始させることなく、除菌処理動作の制御を終了する（Ｓ７：ＮＯ，Ｓ９：ＹＥＳ，Ｓ１０）。このことにより、人感センサＳａを利用した人の存在の有無の検出動作が、長時間にわたって不必要に実行されないこととなり、省エネなどを図ることができる。前記第２の時間は、たとえば１２０分程度とされる。
【００４１】
本実施形態の風呂装置Ａにおいては、前記したような動作制御に代えて、又は加えて、図３に示すような動作制御も実行可能とされている。
【００４２】
図３のフローチャートにおいては、図２のフローチャートと同一内容のステップについては、図２のフローチャートと同一のステップ番号を付しており、その重複説明は適宜省略する。図３に示す動作制御においては、図２に示すステップＳ４，Ｓ５に代えて、ステップＳ４’，Ｓ５’が実行されるように構成されており、これ以外は図２の動作制御と同様である。
【００４３】
図３の動作制御においては、湯水処理禁止期間が設定された後に、入浴者の人数を判断する処理が制御部７により実行される（Ｓ４’）。入浴者の人数は、人感センサＳａによる人の存在の検出、非検出の回数をカウントすることにより判断することが可能である。次いで、入浴者の人数が所定の人数に達すると判断された場合には、その時点で湯水処理禁止期間が解除される（Ｓ５’ ：ＹＥＳ，Ｓ６）。その後は、図２のステップＳ７以降のステップと同様な制御が実行される。
【００４４】
前記した動作制御によれば、所定の人数が入浴することによって湯水処理禁止期間を経過しない限りは、除菌処理動作は開始されない。したがって、入浴者の数よりも除菌処理動作の回数を少なくし、ランニングコストを低減することが可能となる。除菌灯４０の点灯回数も少なくなるため、除菌灯の使用寿命を長くすることも可能である。
また、所定の人数が入浴を終える迄は、除菌処理動作が開始されないが、入浴者数が少ない間は、浴槽１の湯水が多くの雑菌類を含まない場合が多いと考えられ、浴槽１の湯水が不衛生になるといった不具合も生じないようにすることが可能である。
なお、好ましくは、前記の「所定の人数」については、リモコン７０，７１を操作するなどして、ユーザが適宜変更できるようにされる。
【００４５】
風呂装置Ａにおいて、除菌処理動作が実行される場合には、図４に示すような動作制御が実行される。
【００４６】
すなわち、循環ポンプＰ１及び除菌灯４０がともにオンとされ、除菌処理動作が実行されている場合において、人感センサＳａによる人の検出（入室の検出）がない状態が継続し、かつこの継続状態が所定の第４の時間以上になると、循環ポンプＰ１及び除菌灯４０がともに駆動オフとされ、除菌処理動作が終了する（Ｓ２１：ＹＥＳ，Ｓ２２：ＹＥＳ，Ｓ３０）。第４の時間は、除菌処理動作を行なう上で好ましいと考えられる時間であり、たとえば４５分程度とされる。
【００４７】
一方、前記とは異なり、除菌処理動作中に人感センサＳａによる人の検出（入室の検出）があった場合には、除菌処理動作が中断され、かつタイマセットがなされる（Ｓ２２：ＮＯ，Ｓ２３：ＹＥＳ，Ｓ２４，Ｓ２５）。ここで、前記除菌処理動作の中断は、循環ポンプＰ１を駆動オフとすることにより行なわれるが、除菌灯４０については駆動オン状態のままとされる。
なお、ステップＳ２４の除菌処理動作の中断に際し、この除菌処理動作の中断回数が所定回数（たとえば、２回目）に達した場合には、除菌灯４０を循環ポンプＰ１と同様に駆動オフとする制御を行なうように構成することもできる。このことにより、除菌灯４０の使用寿命の長期化などを図る上で、より好ましいものにすることが可能である。
【００４８】
次いで、その後に入浴者が浴室から退室することなく、所定の第３の時間がタイムアップ状態になった場合には、除菌灯４０は駆動オフとされる（Ｓ２６：ＹＥＳ，Ｓ２７）。第３の時間は、前記した第４の時間よりも短い時間である。除菌処理動作の中断時には、除菌処理部４のハウジング４１内に湯水が滞留しており、この湯水が除菌灯４０の熱によって比較的高温に加熱される虞がある。このような湯水が、浴槽１に流れ込むと、入浴者に違和感を与える。これに対し、本実施形態によれば、前記第３の時間が経過した時点で除菌灯４０が駆動オフとされるため、ハウジング４１内の湯水が除菌灯４０の熱によって
高温に加熱されることは適切に防止され、前記した違和感を生じないようにすることが可能である。
なお、ステップＳ２７において、除菌灯４０を駆動オフにした後であっても、人の存在の有無の検出を続行し、かつ第４の時間がタイプアップする前に人の存在の検出がなくなったときには、除菌処理が再開されるように構成することも可能である。
【００４９】
前記した除菌処理動作の中断時おいて、入浴者が浴室から退室することが検出された場合には、除菌処理動作が再開される（Ｓ２８：ＹＥＳ，Ｓ２９）。したがって、除菌処理動作を適切なタイミングで継続し、浴槽１の湯水を衛生な状態にすることが可能となる。除菌処理動作の中断は、循環ポンプＰ１及び除菌灯４０のうち、循環ポンプＰ１のみが駆動オフとされることにより行なわれているため、除菌灯４０の駆動オン・オフの切り替え頻度を少なくすることが可能である。このことにより、除菌灯４０の使用寿命をより長くする効果が得られることとなる。
【００５０】
本発明は、上述した実施形態の内容に限定されない。本発明に係る風呂装置の各部の具体的な構成は、本発明の意図する範囲内において種々に設計変更自在である。
【００５１】
上述の実施形態においては、湯水処理禁止期間が、最初の入浴対応現象（浴槽への湯張り後の最初の入室）が検出されたときから開始されているが、これに代えて、最初の出浴対応現象（浴室からの退室など）が検出されたときから開始されるように構成することも可能である。
【００５２】
本発明でいう入浴対応現象及び出浴対応現象の定義、及び具体例については、先に述べたとおりであるが、先に述べた具体例に限定されない。したがって、本発明でいう検出手段としては、人感センサ以外の装置・機器類を用いることができる。たとえば浴室の照明のオン・オフに基づいて人の存在を制御部が判断するような場合には、この制御部自体も、本発明でいう検出手段の構成要素に該当する。
なお、人感センサを用いる場合、この人感センサは、熱感知方式のものに限らず、浴室に人が存在するか否かを判断し得るものであればよく、その具体的な方式や種類などは限定されない。また、人感センサは、複数用いることも可能である他、浴室リモコンに組み込まれていない状態で設置することも可能である。
【００５３】
本発明においては、湯水処理禁止期間の終了後において実行される除菌処理（湯水処理）は、複数回繰り返してもよい。また、本発明においては、風呂保温モードが解除されたときには、除菌処理制御モードを終了させることができる。
【００５４】
本発明でいう湯水処理部は、除菌灯を備えたものに限らず、他の除菌処理手段を備えた構成とすることができる。また、除菌処理用の湯水処理部に代えて、又は加えて、湯水の濾過処理用の機器又は部材を用いて、浴槽の湯水を清浄化するようにされた構成とすることも可能である。すなわち、本発明でいう湯水処理部は、湯水濾過部として構成することも可能である。
【符号の説明】
【００５５】
Ａ  風呂装置
ＢＲ  浴室
ＷＨ  給湯装置
Ｐ１  循環ポンプ
Ｓａ  人感センサ
１  浴槽
４  除菌処理部（湯水処理部）
４０  除菌灯
５  湯水循環路
７  制御部
【図１】
2018089088.tif 000003
【図２】
2018089088.tif 000004
【図３】
2018089088.tif 000005
【図４】
2018089088.tif 000006